(57)【要約】 【課題】  日常生活の中で発生するリサイクルし難い薄紙を、自然保護の観点から有効活用することが望まれてきた。本考案は、薄紙でも一定の強度と構造力を与え、収納や保管や運搬のために薄紙を活用する紙箱使用の懸架具を提案する。【解決手段】  薄紙箱に掛止片を設け、この掛止片と紙箱側面とによって形成される角度を維持する固定部を設けることで、薄紙で作成された紙箱であっても開口部を持った立体形状を維持し懸架して利用できるようにする。また、この懸架具から紙箱が落ちないように脱落防止部を設け、加えてこの懸架具を空間に持ち運びして使用する場合には、把持部とを設けて、多方面に薄紙製紙箱の利用ができるようにした。【選択図】  図３
0003122460.tif 000002
【実用新案登録請求の範囲】
【請求項１】
上部開口し一対の対向する２辺に掛止片を有する紙箱を保持する懸架具であって、前記掛止片を保持する一対の対向する保持壁と該保持壁をつなぐ連結壁によってＵ字状あるいはコの字状あるいはロの字状に形成していることを特徴とする懸架具。
【請求項２】
請求項１に記載の懸架具において、一対の対向する前記保持壁のそれぞれに紙箱の前記掛止片の跳ね上がりを防止する固定部を設けたことを特徴とする懸架具。
【請求項３】
請求項１又は２に記載の懸架具において、前記懸架具の上部に脱落防止部を設けたことを特徴とする懸架具。
【請求項４】
請求項１又は３の記載の懸架具において、前記連結壁に持ち運びに用する把持部を固着したことを特徴とする懸架具。
【考案の詳細な説明】
【技術分野】
【０００１】
本考案は、薄手の紙で作られた紙箱であっても紙箱の構造力を維持し脱着の手間を軽減し可搬性も増し利便性を向上させた懸架具に関する。
【背景技術】
【０００２】
収納や保管や運搬のために使用される容器類の多くは厚手の合成樹脂製や厚手の紙製のものが多く、薄手の合成樹脂や紙で成形された収納や保管や運搬のために利用される形態は、構造力が弱いために箱状で利用されることが少なく、袋状のものに多く利用されていた。（例えば、特許文献１参照）。
【０００３】
また、薄手の合成樹脂や紙による袋の場合、袋の開口部を維持するためにまた構造力を確保するために外枠を作成していた。（例えば、特許文献２）
【特許文献１】実開平６−４３２
【特許文献２】特開２００３−２６３０１
【考案の開示】
【考案が解決しようとする課題】
【０００４】
従来から、収納や保管や運搬のためには合成樹脂製や紙製のものが多く利用されてきている。しかし、不要になった合成樹脂のゴミ処理は、合成樹脂が腐食して自然に戻ることが難しくゴミ処理場で埋め立てゴミとして処理されており、埋め立てゴミ処分場の場所の問題が発生している。また、合成樹脂を燃焼処理すると熱量が高くなり燃焼炉の耐用年数が短くなったり、合成樹脂に塩素化合物を含んでいる場合はダイオキシンが発生したりしていて、合成樹脂製のゴミの減量化が望まれている。
【０００５】
また、紙製による収納や保管や運搬への利用の場合は、紙パルプ原料のために大量の森林伐採が進行中で、大気中に放出された炭酸ガス濃度の上昇を抑えるために森林の保護と紙パルプの更なるリサイクルが望まれている。
【０００６】
また薄紙では袋状での使用が多く、袋状では開口形状の維持が難しくて箱状で使用されることはなかった。たとえ箱状での使用される場合には、単体では構造力が弱いため内装などの補助的な使用の例が見受けられるほかには利用されてこなかった。
【０００７】
また紙製の場合、強度と立体形状を保つためにはある程度の厚さを持った紙を使用する必要があり、通常厚紙を使用しての紙加工品は専門業者の手によって製作される必要がありそのため高価であった。また、省資源の観点から厚紙に代わってできるだけ薄い紙を利用して、厚紙と同じかそれ以上の構造力と使いやすさを持つ薄紙製による箱状の利用方法が望まれていた
【０００８】
また、紙は水分に弱く、接地面に水滴が落ちていた場合や、紙の上から水分を含んだものを置いていた場合など、一定の時間が経過すると接地面に接地している紙の部分と接地面とで癒着が起こり接地面に接地している紙の部分がはげ落ちたり、ひどい場合は紙のその部分が破けたりしてしまうことなどが発生する場合があった。
【０００９】
また、薄紙によって作られた箱状のものを空間に持ち運びして使用することができなかった。
【００１０】
また、紙のリサイクルが行政の手によって精力的に実施されているが、家庭内で発生する紙類のすべてがリサイクルによって回収されるということはなく、特に雑誌紙、新聞紙、新聞折り込みチラシ紙などの家庭内に生じる雑多な紙のリサイクルの利用と回収の悪さが問題となっていて、生活の中で生じるリサイクルしづらい雑多な紙類の２次使用が望まれていた。
【００１１】
以上の問題点をふまえ、本考案が解決しようとする第１の課題は、バージンパルプを使用して専門業者の手によって製作された本考案に使用する紙箱を利用できることは勿論であるが、図１で示すように旧来から知られている折り紙による製箱方法によって、日常生活で生じるリサイクルしづらい雑多な紙を２次使用して利用することにあり、また人の手によって簡単な手折り作業で本考案に利用できる紙箱を作成することができるので低コストの実現という点にある。第２の課題は、前記紙箱の機能と本考案の懸架具の機能と相まって、薄紙製による強度不足や構造力不足または水ぬれに弱いという欠点を補って、日常生活に使用するには十分な強度と利便性を持った薄紙製の紙箱を利用した懸架具を実現することにある。
【課題を解決するための手段】
【００１２】
上記の課題を解決するために本考案の構成は、本考案は薄紙で作られた対向する一対の紙箱の側面とその側面に連なって形成されている掛止片とによって形成されている逆Ｖ字形の折れ線を下から支える保持壁とこの保持壁を連結する連結壁とを懸架具に設けることである。
【００１３】
また、この懸架具に懸架された紙箱の中に物が投入された場合に、紙箱が投入された物の重さで下に落ちようとする力が発生する。この力が紙箱の側面を下に引っ張り、側面に連なっている掛止片も同時に引っ張る力が伝わるので、側面と掛止片とによって形成された逆Ｖ字の角度の形状が崩れ、掛止片が外側上方に跳ね上がるように力が加わる。この紙箱の掛止片が跳ね上がろうとする動作を抑えるための固定部を懸架具に設けることである。
【００１４】
さらに、懸架具から紙箱１が脱落する動作が生じる可能性があるので、懸架具の上部に、紙箱が懸架具から脱落しないように脱落防止部を設けることである。
【００１５】
加えて、この懸架具の連結壁に持ち運びに用する把持部を設けることである。
【考案の効果】
【００１６】
収納や保管や運搬のために箱状で使用する場合には、ある程度の厚さと強度をもつ材料を使用しないと望む構造力が得られない。しかし、本考案は、紙箱の掛止片を懸架具の保持壁や固定部を設けることによって紙箱が保持されるので、紙箱の立体形状が維持できる。
【００１７】
また、薄い材料を使用した場合には袋状にする必要があり、袋状での使用は開口部が閉じていて利用のたびに開口部を開け閉めする必要があり、この動作が煩わしくて作業の能率が著しく落ちる場合がある。この煩わしさを解消するには開口部を有する箱状の立体構造が必要である。しかし箱状の立体構造を維持するには、ある程度の厚さと強度をもつ材料を使用しないと望む構造力が得られない。しかし、本考案は、紙箱の掛止片を懸架具の保持壁や固定部を設けることによって紙箱が保持されるので、薄い材料で成形された箱であっても、紙箱が懸架具からずりおちることがなく開口部が維持され、作業能率が著しく向上することができる。
【００１８】
また、紙箱が持ち運びの動作中にこの懸架具から脱落しないために、懸架具の上部に脱落防止部を設けることで、薄紙製の箱でも立体構造を維持したまま持ち運びの動作を必要とする作業にも使用できることである。
【００１９】
また、この懸架具の連結壁に把持部を設けているので、薄紙製の箱の利用をこの懸架具を利用して持ち運びして使用することができる。
【００２０】
薄い紙が使用できることから製箱に費やす材料の量が節約できる。また、製箱の材料に紙を使用することによって、合成樹脂を使用しなくて済むので合成樹脂のゴミ処理問題や合成樹脂に含まれている塩素化合物を燃焼処理することによるダイオキシン発生問題などの公害問題を軽減できる。
【００２１】
また、薄紙を使用して手折りによる製箱ができるので、専門業者が製作した紙箱を購入して使用しなくても済むので、折り紙の手間をのぞくとノーコストで利用できて経済的である。
【００２２】
紙のリサイクルになりにくい雑誌紙や新聞紙や新聞折り込みチラシ紙などを２次使用してこの製箱の材料として利用できるので紙資源を有効活用できる。
【００２３】
また、懸架具の接地面に水分が含まれていてもまた水分を含んだ物を紙箱に入れた場合にも、懸架具の保持壁の高さを紙箱の側面の高さより高くすることにより紙箱底面が接地面に接地することが避けられるので、紙箱底面が接地面に接している場合の比べて、一定の時間が経過すると接地面に接地している紙の部分と接地面とで癒着が起こり箱底面の紙がはげ落ちたり破けたりすることが避けられる。
【考案を実施するための最良の形態】
【００２４】
収納や保管や運搬のために薄紙を使用する場合、薄紙には構造力や強度が不足しているので袋状にして使用する場合が多かった。しかし、袋状で使用する場合には、袋状では開口部が閉じていて利用のたびに開口部を開け閉めする必要があり、この動作が煩わしくて作業の能率が著しく落ちる。
【００２５】
また、薄紙でできた開口部をもつ紙箱状では構造力や強度が弱いために運搬のためにこの紙箱を利用することはなかった。
【００２６】
本考案の懸架具は、これらの不具合や不便を解決すべく、底面２を略方形としこの底面２の各四辺からそれぞれ起立した同じ大きさの長方形の側面３を持つ紙箱１で、かつ折りたたみできる紙箱１で、その紙箱１の一対の対向する側面３の上辺から連なって掛止片４をそれぞれ設けた上部開放の紙箱１で、その箱部１の側面３と掛止片４の境界に紙箱１より外側に逆Ｖ字形に折りを加えた紙箱１で、この掛止片４の長さはこの箱の側面３の高さよりも短い紙箱１を利用する（図２）。    
【００２７】
また本考案の懸架具５は、この紙箱１の側面３と掛止片４の境界に紙箱１より外側に逆Ｖ字形に折れた折り目にそって、この折り目の下部から接触して、紙箱１を懸架して支え保持する一対の対向する保持壁６を持っている（図３）。
【００２８】
また本考案の懸架具５は、この一対の対向する保持壁６同士をつなぐ前記紙箱１の横幅とほぼ同じ幅の連結壁７を少なくとも１辺とを持ち、この３辺がそれぞれコの字形あるいはＵの字形に略９０度の角度で連結している形状を持っている（図３）。
【００２９】
また本考案の懸架具５は、前記紙箱１の側面３と掛止片４とによって形成されている逆Ｖ字形に折れた掛止片４の跳ね上がりを防止するために固定部８を対向する一対の保持壁６に持っている（図３）。
【００３０】
固定部８を説明すると、保持壁６の上部より下に紙箱１の掛止片４よりも短い長さの位置に、紙箱１の横幅よりやや大きい横幅を持った固定部であるところの横バー８を保持壁６の面に設けている。この横バー８を設置する部所を、保持壁６の上部にすればするほど跳ね上がり防止力は増すが、本懸架具５とこの紙箱１とを架設や除去する作業の難度が増す。また、この横バー８の縦幅が広ければ広いほど跳ね上がり防止力は増すが、しかし本懸架具５と紙箱１とを架設や除去する作業の難度が増す。また、この横バー８と保持壁６との間隔が狭ければ狭いほどほど跳ね上がり防止力は増すが、しかし本懸架具５と紙箱１とを架設や除去する作業の難度が増す（図４）。
【００３１】
固定部１０を説明すると、保持壁６の上部より下に紙箱１の掛止片４よりも短い長さの位置に一定の幅と長さを持った固定部であるところのツメ１０を保持壁６の面端に設けている。このツメ１０を設置する部所を、保持壁６の上部にすればするほど跳ね上がり防止力は増すが、本懸架具９とこの紙箱１とを架設や除去する作業の難度が増す。また、このツメ１０の縦幅が広ければ広いほど跳ね上がり防止力は増すが、しかし本懸架具９とこの紙箱１とを架設や除去する作業の難度が増す。また、このツメ１０の長さを長くすればするほど跳ね上がり防止力は増すが、しかし本懸架具９とこの紙箱１とを架設や除去する作業の難度が増す。また、このツメ１０と保持壁６との間隔が狭ければ狭いほど跳ね上がり防止力は増すが、しかし本懸架具９とこの紙箱１とを架設や除去する作業の難度が増す（図６）。
【００３２】
また、図９の固定部であるツメ１６や図１０の固定部であるツメ１６は１つの保持壁１９にそれぞれ１つであり、図６の固定部であるツメ１０は１つの保持壁６に２つある。これも１つより２つツメがある方が跳ね上がり防止力は増すが、しかし本懸架具９に紙箱１を架設や除去するときの作業の難度が増す（図６、図９、図１０）。
【００３３】
固定部１２を説明すると、保持壁６の面内に保持壁６の上部より下に紙箱１の掛止片４よりも短い長さの位置に紙箱１の横幅よりやや大きい横幅を持った固定部であるところのスリット１２を設けている。このスリット１２を設置する部所を、保持壁６面内の上部にすればするほど跳ね上がり防止力は増すが、本懸架具１１とこの紙箱１とを架設や除去する作業の難度が増す。また、このスリット１２の縦幅が狭ければ狭いほど跳ね上がり防止力は増すが、しかし本懸架具１１とこの紙箱１とを架設や除去する作業の難度が増す（図７）。
【００３４】
本懸架具５、９、１１は静置状態で使用する。この場合には、保持壁６の高さは紙箱の側面３の高さより少し高いことが望ましい。もし、保持壁６の高さが紙箱１の側面３の高さとほぼ等しければ、保持壁６と連結壁７の接合状態がコの字形であれＵの字形であれロの字状であれ、紙箱１の底面２が接地してしまう。もし、接地面に水分が含まれていた場合や紙箱１に投入されているものに水分が含まれていた場合などには、一定の時間が経過すると箱底２と接地面とに癒着が生じ、紙ムケや紙の破損が生じることがある。
【００３５】
さらに、本懸架具１３、２０の上部に脱落防止部１５ａ、１５ｂ、２１を取り付ける（図９、図１０）。
【００３６】
脱落防止部１５ａ、１５ｂについて説明すると、保持壁１９の先端上部にそれぞれ内向きに約１０ｍｍの一対の脱落防止部であるところのツメ状突起物１５ａを設けている。このツメ状突起物１５ａには、縦幅×横幅はそれぞれ約１０ｍｍの横凹状の形状をしている。また、連結壁７上部に一対の脱落防止部であるところのツメ１５ｂを設けている。前記紙箱１をこのツメ状突起物１５ａとツメ１５ｂに係合するように本懸架具１３に架設した後に、前記柄１４を手に持って前後左右に揺らしながら移動しても、紙箱１が本懸架具１３から脱落することを防ぐことができる（図９）。
【００３７】
脱落防止部であるフタ２１について説明すると、保持壁１９と連結壁７の接合状態がコの字形でできる形状よりやや大きく脱落防止部であるフタ２１を設けている。前記紙箱１をこの本懸架具２０に架設した後に、脱落防止部であるフタ２１を上から被せた後に、前記取っ手２２を手に持って懸架具２０を持ち運んでも、このフタ２１の重しで本懸架具２０からこの紙箱１が脱落することを防ぐことができる（図１０）。
【００３８】
本懸架具１３、２０は空間に持ち運びして使用する。この場合には、保持壁１９と連結壁７の接合状態をコの字形にして、この連結壁７のほぼ中央に把持部であるところの柄１４や取っ手２２を取り付け持ち運びできるようにする（図９、図１０）。
【００３９】
懸架具５、９、１１、１３、２０に使用する材質は、特に選ばないが懸架具の強度を必要とするときで、保持壁６、１９の下部を肉厚にして上部に行くししたがって薄くするテイパー状にすると強度を増すことができる。
【００４０】
懸架具５、９、１１、１３、２０の大きさは、日常生活の中で手にいれることができる紙の大きさを図１に示した折り紙作業で製作した紙箱の大きさに準じて製作する。日本においては、新聞紙、タブロイド紙、Ａ系列紙やＢ系列紙が紙の大きさの規格になっていて一般的に使用されている。
【００４１】
海外で使用する場合には、この懸架具５、９、１１、１３、２０を使用する国独自の紙の規格がある場合があるので、その大きさに準じて懸架具５、９、１１、１３、２０の大きさを作成する。
【実施例１】
【００４２】
本考案の懸架具においては、懸架具の設置場所および用途に応じて、懸架具の形状を変化させることが可能である。
【００４３】
まず図４によって説明する。図４は本件に係るこの紙箱１を架設した懸架具５の斜視図であり、本例は台所三角コーナーの代わりに台所用ゴミ捨てに使用されているものである。
【００４４】
紙箱１は、新聞折り込みＢ４判のチラシを使用して図１の折り紙作業で製作されている。紙厚は約０．１ｍｍで、側面２の幅は約１３．８ｃｍで、側面３の高さは約６．７ｃｍで、掛止片４の長さは約５．４ｃｍである。
【００４５】
懸架具５は、横幅約１５ｃｍ×縦幅約１０ｃｍの対向する一対の保持壁６とその保持壁６を底辺で相互につなぐ横幅１３．９ｃｍの連結壁７を持ち、Ｕ字形を形成している。この保持壁６のそれぞれの外側に、この保持壁６の上部より２．５ｃｍの下の位置に保持壁６との間を約０．６ｃｍの間隔を保って横幅約１５ｃｍ×縦幅約１ｃｍの一対の固定部である横バー８を保持壁６の辺端から横に渡す形で有している。この懸架具５は、水仕事に使用するために、サビに強い約１．５ｍｍ厚の硬質合成樹脂でできている。
【００４６】
折り紙して作成してまだ折りたたまれた状態の紙箱１を押し広げて箱状に展開する。懸架具５に上方からこの紙箱１を挿入し、対向する一対の保持壁６のそれぞれに上部から一対の掛止片４のそれぞれを被せて、その掛止片４を保持壁６と固定部である横バー８との隙間にそれぞれ挿入して懸架する。このとき側面３と保持壁６を挟んで形成されている逆Ｖ字形の掛止片４の角度は鋭角に保持されている。紙箱１にものが投入された場合、投入されたものの重さで紙箱１を下に押し下げようとする力が働き、その力が掛止片４に伝わり、掛止片４が外側に開いて跳ね上がるように作用する。この外側に跳ね上がろうとする作用を防止するために固定部である横バー８が作用している。
【００４７】
なお、固定部である横バー８の保持壁６に取り付ける位置を現状より高い位置にしても良いし、掛止片４の長さより短い範囲で低い位置に取り付けても良い。また、この横バー８の縦幅は、現状より狭くても良いし、掛止片４の長さより短い範囲で広くしても良い。また、横バー８と保持壁６との間隔を現状より狭くしても良いし、広げても良い。
【００４８】
このような構成の懸架具５は、以下のように使用される。
【００４９】
紙箱１を懸架した懸架具５は、台所のシンク近傍に置かれている。台所仕事で生じたゴミを一時の捨て場所としてこの紙箱１に投入する。野菜クズなど水濡れしていても構わない。紙箱１に台所ゴミがほぼ一杯になれば、紙箱１を懸架具５からはずし、掛止片４を手でもってゴミ箱に捨て、また、まだ折りたたまれた状態の新しい紙箱１を押し広げて展開し、懸架具５に懸架する。
【００５０】
このように、Ｂ４判の新聞折り込みチラシを使用して紙箱１を作成できるので、時間の余裕のあるときに紙箱１を作っておけば、紙箱１を購入しなくて済むから経済的である。また、使用する紙が極薄であった場合には、２枚を重ねて折り紙をして紙箱１を作成すれば良い。また、使用に際して、水ぬれが激しいときや重量物を紙箱１に投入する場合には、あらかじめ紙箱１を２つ重ねして懸架具５に懸架すればいい。
【実施例２】
【００５１】
本考案の懸架具においては、懸架具の設置場所や用途に応じて固定部の形状を変化させることが可能であり、また把持部や脱落防止部の要・不要や形状を変化させることも可能であるので、以下の実施例では、実施例１と同様の機能を有する部分については同符号を付して説明を省略することとし、異なる部分を中心に説明を加える。
【００５２】
図６は実施例２に係る懸架具９の斜視図である。固定部であるツメ１０は、保持壁６辺端から内向きに相対してあり、このツメ１０は保持壁６の上部より２．５ｃｍの下の位置に保持壁６との隙間を約０．５ｃｍの間隔を保って長さ約１．５ｃｍ、縦幅０．５ｃｍの形状をしている。
【００５３】
紙箱１は色彩鮮やかで模様もおしゃれな千代紙をＢ４判の大きさに裁断して折り紙加工して使用している。また、懸架具９は、約２ｍｍ厚の木目の鮮やかな木材でできていることによって、置物工芸品としても鑑賞に堪え得るので、日常生活でよく無くしてしまいがちな装飾品など小間物類を入れたり、クッキーなどのお菓子類などを入れたりして楽しむことができる。
【実施例３】
【００５４】
図８は実施例３に係る懸架具１１の斜視図である。固定部であるスリット１２は、保持壁６の上部より２．５ｃｍ下の位置で保持壁６の中央に横幅約１４．２ｃｍ、縦幅１．０ｃｍの保持壁６を刳りぬいた形状をしている。このスリット１２に掛止片４を外側から内側に挿入して紙箱１を懸架して使用する。
【００５５】
紙箱１は薄紙の内でも比較的厚めではあるが手折り可能な紙を使用している。懸架具１１は約１ｍｍの厚さのステンレスでできており、紙箱１には比較的重たいものを入れて使用している。
【００５６】
紙箱１に水分を含まないものを投入して使用する場合、保持壁６の縦幅を紙箱１の側面３の縦幅とほぼ同じ高さ約６．７ｃｍにすると、底面２を連結壁７によって支えることができるので、紙箱１の構造力は更に強化するように製作することができる。
【００５７】
保持壁６の縦幅を紙箱１の側面３の縦幅とほぼ同じにした場合、もし紙箱１の底面３が水濡れした場合には、連結壁７と底面３とで癒着が生じる前に、紙箱１を新しい紙箱１に交換するようにすると良い。
【００５８】
保持壁６の縦幅を紙箱１の側面３の縦幅とほぼ同じにした場合の長所である構造力の強化と短所である水濡れした場合の紙箱１の底面３紙ムケや破損の発生は、懸架具５、９でも同じこといえる。
【実施例４】
【００５９】
図９は実施例４に係る懸架具１３の斜視図である。この懸架具１３は中型犬用の糞取り器である。
【００６０】
紙箱１は、新聞折り込みチラシを使用して図１の折り紙作業で製作されている。紙の大きさはＡ４判で、紙厚は約０．０８ｍｍで、側面２の幅は約１０．７ｃｍで、側面２の高さは約５．０ｃｍで、掛止片４の長さは約４．１ｃｍである。
【００６１】
懸架具１３は、約１．５ｍｍ厚の硬質合成樹脂でできており、対向する一対の保持壁１９と連結壁７とをコの字形に連結している。連結壁７は横幅約１０．７ｃｍ×縦幅約５．０ｃｍで、この連結壁７からそれぞれ約９０度の角度のびている保持壁１９は横幅約１１．５ｃｍで保持壁１９の先端では約２．０ｃｍに細くなっている。保持壁１９の先端部の下部を切除した形状である。この保持壁１９の先端下部の外側の位置に保持壁１９との隙間を約０．５ｃｍの間隔を保って横幅約１．５ｃｍ×縦幅約０．５ｃｍの固定部であるツメ１６を有している。また対向する一対の保持壁１９の先端上部のそれぞれに縦幅約５ｍｍ×縦幅約８ｍｍの紙箱１の開口部を押さえるために脱落防止部であるところのツメ状突起物１５ａを設けている。このツメ状突起物１５ａには、縦幅約２ｍｍ×横幅約５ｍｍの横凹状の刳りぬいた形状を有している。また連結壁７の上部両端に、縦×横幅共に５ｍｍの脱落防止部であるツメ１５ｂを設けている。また、連結壁７のほぼ中央より把持部であるところの約５８ｃｍの柄１４を設けている。この柄１４の先端近傍に柄１４を貫通する穴１７をあけ、約２０ｃｍほどのひも１８を通して輪にしてある。
【００６２】
このような構成の懸架具１３は、以下のように使用される。
【００６３】
犬を散歩に連れだし用便を処理しようとする前に、新聞折り込みチラシ紙をＡ４判に裁断して折り紙して作っておいた紙箱１を本懸架具である犬の糞取り器１３にあらかじめ懸架しておく。この紙箱１はコの字状に形成されている保持壁１９と連結壁７とによって紙箱１の側面３を周りから保持されているとともに、さらに側面３からのびている掛止片４を固定部であるところのツメ１６と保持壁１９との間に差し込んで保持されていて、脱落防止部であるところの一対のツメ状突起物１５ａと脱落防止部であるところの一対のツメ１５ｂによっても保持されており、このように懸架されている。
【００６４】
ひも１８に腕を通して柄１４を掴んで散歩をする。紙箱１は散歩途中で前後左右に揺らしても本懸架具（犬の糞取り器）１３から脱落することはない。犬が用便を催したとき紙箱１の開口部を犬の肛門の下部分に差しのべて、糞が路上に直接落ちないように箱1の開口部より箱の底面２で受けるようにする。用便が済むと紙箱１の底面２を地上におき、懸架具１３を少し前方に押すと紙箱１が少し変形して脱落防止部であるところのツメ状突起物１５ａより紙箱１の側面３の上部が外れる。そして、保持壁１９の先を地面に向けて押し下げて懸架具１３を手前に引き寄せる。すると、このとき保持壁１９先が紙箱１の側面３の高さより短くなっているので固定部であるツメ１６より掛止片４が外れる。同時に紙箱１の側面３の上部が脱落防止部であるところのツメ１５ｂより外れることで、紙箱１と懸架具１３とが容易に切り離される。そして一対の掛止片４を指先でつまんで、持参した別の収納袋に入れて処理する。また次の新しい紙箱１を懸架具１３に懸架して次の犬の用便に備える。このようにすると、犬の糞が直接路面落ちず、衛生的に処理できるし、今までのように犬の糞をチリシなどで掴んで処理していた不快感が軽減できる。
【００６５】
大型犬、中型犬、小型犬などで排便する量が違うので、Ｂ４、Ａ４、Ｂ５、Ａ５、Ｂ６判のそれぞれの大きさで作成された紙箱１の各部分の大きさを採寸して、それぞれの大きさに合う犬の糞取り器を作成するといい。そして、排便の量に応じた大きさの犬の糞取り器を使用すると良い。
【００６６】
小型犬用に使用するＡ５、Ｂ６判に合う懸架具１３の場合には、懸架具１３から紙箱１が脱落する力が弱くなるので、脱落防止部１５ａ、１５ｂの両脱落防止部を必ずしも備える必要はなく、脱落防止部１５ａあるいは脱落防止部１５ｂの片方を付設すればいい。
【実施例５】
【００６７】
図１０は実施例５に係る懸架具２０の斜視図である。
【００６８】
この懸架具２０は、天ぷら取りの受け皿である。
【００６９】
紙箱１は、比較的に食用油の吸収がいい新聞紙をＢ４の大きさに裁断して、２枚を重ねて折り紙して紙箱１を作成する。
【００７０】
懸架具２０は、約１ｍｍのステンレスでできており、横幅約１５ｃｍ×縦幅約１０ｃｍの対向する一対の保持壁１９と横幅約１３．９ｃｍ×縦幅約１０ｃｍの連結壁７とをコの字形に接合している。保持壁１９の先端上部から下に２ｃｍのところに固定部である縦幅約１ｃｍ×横幅約１．５ｃｍのツメ１６を１つだけ保持壁１９との間隔を約０．５ｃｍにして保持壁１９の外側にのそれぞれに設けてある。連結壁７に約１５ｃｍの取っ手２２を設け、持ち運びできるようにしてある。また横幅１４．５ｃｍ×縦幅１５．５ｃｍの脱落防止部であるフタ２１を設け、上方にフタを着脱するためにツマミ２３と取り付けてある。
【００７１】
このような構成の懸架具２０は、以下のように使用される。
【００７２】
天ぷらが揚がるとツマミ２３をつまんでフタ２１を上方に上げて紙箱１の開口部を露出させ、揚がった天ぷらを投入し、フタ２１を閉じる。このようにすると、天ぷらが冷えずにおいしく食べることはできる。もし、大量に天ぷらをあげる場合には、取っ手２２を持って運び、天ぷらを食器に移した後に、紙箱１を新しい紙箱１に交換して使用すれば、余分な食器を汚さずにまた、天ぷらの余分な油を除去できて美味しく食べることができる。
【００７３】
連結壁７とフタ２１との接している辺を相互にヒンジを用いてつなぎ合わせて開閉できるようにすることもできる。
【図面の簡単な説明】
【００７４】
【図１】本考案に係わる紙箱製作の折り紙手順
【図２】本考案に係わる紙箱をしめす斜視図
【図３】本考案に実施例１に係わる懸架具の斜視図
【図４】本考案に実施例１に係わる懸架具に紙箱を懸架した斜視図
【図５】本考案に実施例２に係わる懸架具の斜視図
【図６】本考案に実施例２に係わる懸架具に紙箱を懸架した斜視図
【図７】本考案に実施例３に係わる懸架具の斜視図
【図８】本考案に実施例３に係わる懸架具に紙箱を懸架した斜視図
【図９】本考案に実施例４に係わる懸架具の斜視図
【図１０】本考案に実施例５に係わる懸架具の斜視図
【符号の説明】
【００７５】
１  紙箱
２  底面
３  側面
４  掛止片
５  懸架具
６  保持壁
７  連結壁
８  固定部（横バー）
９  懸架具
１０  固定部（ツメ）
１１  懸架具
１２  固定部（スリット）
１３  懸架具
１４  把持部（柄）
１５ａ  脱落防止部（ツメ状突起物）
１５ｂ  脱落防止部（ツメ）
１６  固定部（ツメ）
１７  穴
１８  ヒモ
１９  保持壁
２０  懸架具
２１  脱落防止部（フタ）
２２  把持部（取っ手）
２３  ツマミ
【図１】
0003122460.tif 000003
【図２】
0003122460.tif 000004
【図３】
0003122460.tif 000005
【図４】
0003122460.tif 000006
【図５】
0003122460.tif 000007
【図６】
0003122460.tif 000008
【図７】
0003122460.tif 000009
【図８】
0003122460.tif 000010
【図９】
0003122460.tif 000011
【図１０】
0003122460.tif 000012